(57)【特許請求の範囲】
【請求項１】
金型と、
該金型を加熱するヒータプレートと、
前記金型、前記ヒータプレートに対して空間を介して設けられ、前記金型、前記ヒータプレートの外面の全域を覆う反射板と、
を有することを特徴とする電気音響変換器用部品の熱成型機。
【請求項２】
前記金型は、下側金型と、前記下側金型の上方に配置され、前記下側金型と対向する上側金型とからなり、
前記ヒータプレートは、前記下側金型の下面に設けられ、前記下側金型を加熱する下側ヒータプレートと、前記上側金型の上面に設けられ、前記上側金型を加熱する上側ヒータプレートとからなり、
更に、
前記下側ヒータプレートの下方に空間を介して配置され、前記下側金型，前記ヒータプレートを支持する下側ダイセットプレートと、
前記上側ヒータプレートの上方に空間を介して配置され、前記上側金型，前記ヒータプレートを支持する上側ダイセットプレートと、
前記下側ダイセットプレートに設けられ、前記上側ダイセットプレートを上下方向に案内するガイドと、
前記上側ダイセットプレートを上下方向に駆動する駆動部と、
を有し、
前記反射板は、前記下側金型、前記下側ヒータプレート、前記上側金型、前記上側ヒータプレートの外面の全域に対して空間を介して設けられたことを特徴とする請求項１記載の電気音響変換器用部品の熱成型機。
【請求項３】
前記反射板は、
前記下側ヒータプレートと前記下側ダイセットプレートとの間に設けられ、前記下部ヒータプレートの下面を空間を介して覆う下側背部反射板と、
前記上側ヒータプレートと前記上側ダイセットプレートとの間に設けられ、前記上部ヒータプレートの上面を空間を介して覆う上部背部反射板と、
下側金型，前記下側ヒータプレートの側部を空間を介して覆う筒状の下側側部反射板と、
上側金型，前記上側ヒータプレートの側部を空間を介して覆う筒状の上側側部反射板と、
であることを特徴とする請求項２記載の電気音響変換器用部品の熱成型機。
【請求項４】
前記反射板の表面の材質は、金、銀、銅、アルミニウムのうちのいずれかであることを特徴とする請求項１乃至３のいずれか記載の電気音響変換器用部品の熱成型機。
【請求項５】
前記反射板は、
フレームと、
該フレームに対して着脱可能に張られたアルミホイルと、
からなることを特徴とする請求項１乃至４のいずれか記載の電気音響変換器用部品の熱成型機。
【発明の詳細な説明】
【技術分野】
【０００１】
本発明は、加熱された金型を用いて、被加工材に圧及び熱を加えて、スピーカのコーンやダンパ等を形成する電気音響変換器用部品の熱成型機に関する。
【背景技術】
【０００２】
従来の電気音響変換器用部品の熱成型機の一例として、スピーカのコーンを成形する熱プレス機を図６を用いて説明する。図６は従来の熱プレス機の正面から見た断面図である。
【０００３】
図において、下側金型１の下面には、下側金型１を加熱する下側ヒータプレート３が設けられている。下側ヒータプレート３の下方には、空間を介して、下側金型１，ヒータプレート３を支持する下側ダイセットプレート５が設けられている。
【０００４】
下側金型１の上方には、下側金型１と対向する上側金型７が配置される。上側金型７の上面には、上側金型７を加熱する上側ヒータプレート９が設けられている。上側ヒータプレート９の上方は、空間を介して、上側金型７，ヒータプレート９を支持する上側ダイセットプレート１１が設けられている。
【０００５】
下側ダイセットプレート５には、上側ダイセットプレート１１を上下方向に案内するガイド１３が設けられている。
【０００６】
そして、上側ダイセットプレート１１は、図示しない駆動部によって、上下方向に駆動される。
【０００７】
次に、上記構成の作動を説明する。上側金型７と下側金型１との間に空間がある状態で、下側金型１上に被加工物をセットし、図示しない駆動部により、上側ダイセットプレート１１を下方向へ移動させる。そして、上側金型７、下側金型１で被加工材に強い力、熱を加えることにより、金型と同じ形状を被加工材に作り出す（例えば、特許文献１参照）。
【０００８】
一般に、熱プレス機の金型の断熱は、グラスウール等の断熱材を金型に直接巻き付けることにより行っていた。
【先行技術文献】
【特許文献】
【０００９】
【特許文献１】特開２００３−１０３３２２号公報（図１）
【発明の開示】
【発明が解決しようとする課題】
【００１０】
金型からの熱損失は、空気への対流伝熱、輻射伝熱及びプレス機への熱伝導の３つの形態がある。このうち、７５％が輻射伝熱によるものである。
【００１１】
一方、従来の断熱材を金型に直接巻き付ける断熱は、熱伝導を少なくすることには効果があるが、輻射伝熱に対してはほとんど効果がない。よって、金型からの熱損失が大きく、電力消費量が多い問題点がある。
【００１２】
本発明は、上記問題点に鑑みてなされたもので、その課題は、電力消費量が少なくなる電気音響変換器用部品の熱プレス機を提供することにある。
【課題を解決するための手段】
【００１３】
課題を解決する請求項１に係る発明は、金型と、該金型を加熱するヒータプレートと、前記金型、前記ヒータプレートに対して空間を介して設けられ、前記金型、前記ヒータプレートの外面の全域を覆う反射板と、を有することを特徴とする電気音響変換器用部品の熱成型機である。
【００１４】
請求項２に係る発明は、前記金型は、下側金型と、前記下側金型の上方に配置され、前記下側金型と対向する上側金型とからなり、前記ヒータプレートは、前記下側金型の下面に設けられ、前記下側金型を加熱する下側ヒータプレートと、前記上側金型の上面に設けられ、前記上側金型を加熱する上側ヒータプレートとからなり、更に、前記下側ヒータプレートの下方に空間を介して配置され、前記下側金型，前記ヒータプレートを支持する下側ダイセットプレートと、前記上側ヒータプレートの上方に空間を介して配置され、前記上側金型，前記ヒータプレートを支持する上側ダイセットプレートと、前記下側ダイセットプレートに設けられ、前記上側ダイセットプレートを上下方向に案内するガイドと、前記上側ダイセットプレートを上下方向に駆動する駆動部と、を有し、前記反射板は、前記下側金型、前記下側ヒータプレート、前記上側金型、前記上側ヒータプレートの外面の全域に対して空間を介して設けられたことを特徴とする請求項１記載の電気音響変換器用部品の熱成型機である。
【００１５】
請求項３に係る発明は、前記反射板は、前記下側ヒータプレートと前記下側ダイセットプレートとの間に設けられ、前記下部ヒータプレートの下面を空間を介して覆う下側背部反射板と、前記上側ヒータプレートと前記上側ダイセットプレートとの間に設けられ、前記上部ヒータプレートの上面を空間を介して覆う上部背部反射板と、下側金型，前記下側ヒータプレートの側部を空間を介して覆う筒状の下側側部反射板と、上側金型，前記上側ヒータプレートの側部を空間を介して覆う筒状の上側側部反射板と、であることを特徴とする請求項２記載の電気音響変換器用部品の熱成型機である。
【００１６】
請求項４に係る発明は、前記反射板の表面の材質は、金、銀、銅、アルミニウムのうちのいずれかであることを特徴とする請求項１乃至３のいずれか記載の電気音響変換器用部品の熱成型機である。
【００１７】
請求項５に係る発明は、前記反射板は、フレームと、該フレームに対して着脱可能に張られたアルミホイルと、からなることを特徴とする請求項１乃至４のいずれか記載の電気音響変換器用部品の熱成型機である。
【発明の効果】
【００１８】
請求項１−５に係る発明によれば、前記金型、前記ヒータプレートの外面の全域を覆う反射板を有することにより、金型、ヒータプレートからの輻射伝熱が反射板で反射され、金型、ヒータプレートに戻るので、金型、ヒータプレートからの熱損失が少なくなり、電力消費量が少なくなる。
【００１９】
請求項２に係る発明によれば、
前記反射板は、前記下側金型、前記下側ヒータプレート、前記上側金型、前記上側ヒータプレートの外面の全域に対して空間を介して設けられたことにより、下側金型、下側ヒータプレート、上側金型、上側ヒータプレートからの輻射伝熱が反射板で反射され、下側金型、下側ヒータプレート、上側金型、上側ヒータプレートに戻るので、下側金型、下側ヒータプレート、上側金型、上側ヒータプレートからの熱損失が少なくなり、電力消費量が少なくなる。
【００２０】
請求項３に係る発明によれば、前記反射板は、前記下側ヒータプレートと前記下側ダイセットプレートとの間に設けられ、前記下部ヒータプレートの下面を空間を介して覆う下側背部反射板と、前記上側ヒータプレートと前記上側ダイセットプレートとの間に設けられ、前記上部ヒータプレートの上面を空間を介して覆う上部背部反射板と、下側金型，前記下側ヒータプレートの側部を空間を介して覆う筒状の下側側部反射板と、上側金型，前記上側ヒータプレートの側部を空間を介して覆う筒状の上側側部反射板とであることにより、下側金型、下側ヒータプレート、上側金型、上側ヒータプレートは、下側金型、下側ヒータプレート、上側金型、上側ヒータプレートで完全に覆われる。よって、下側金型、下側ヒータプレート、上側金型、上側ヒータプレートからの輻射伝熱がこれら反射板で反射され、下側金型、下側ヒータプレート、上側金型、上側ヒータプレートに戻るので、下側金型、下側ヒータプレート、上側金型、上側ヒータプレートからの熱損失が少なくなり、電力消費量が少なくなる。
【００２１】
請求項４に係る発明によれば、前記反射板の表面の材質は、反射効率がよい金、銀、銅、アルミニウムのうちのいずれかであることにより、下側金型、下側ヒータプレート、上側金型、上側ヒータプレートからの熱損失が少なくなり、電力消費量が少なくなる。
【００２２】
請求項５に係る発明によれば、前記反射板は、フレームと、該フレームに対して着脱可能に張られたアルミホイルと、からなることにより、反射板の表面に黒ずみが発生しても、交換が容易である。
【図面の簡単な説明】
【００２３】
【図１】実施形態の熱プレス機を正面から見た断面図である。
【図２】図１の主要部の分解斜視図である。
【図３】従来の熱プレス機の使用電力の変化を示す図である。
【図４】下側側部反射板、上側側部反射板、下側背部反射板、上側背部反射板を取り付けたときの使用電力の変化を示す図である。
【図５】反射板の効果を説明する図である。
【図６】従来の熱プレス機の正面から見た断面図である。
【発明を実施するための形態】
【００２４】
電気音響変換器用部品の熱成型機の一例としてスピーカのコーンを成形する熱プレス機で説明する。図１は実施形態の電気音響変換器用部品の熱プレス機を正面から見た断面図、図２は図１の主要部の分解斜視図である。
【００２５】
これらの図において、円柱状の下側金型５１の下面には、下側金型５１を電気により加熱する円柱状の下側ヒータプレート５３が設けられている。下側ヒータプレート５３の下方には、空間を介して、下側金型５１，ヒータプレート５３を支持する下側ダイセットプレート５５が設けられている。詳しくは、下側ヒータプレート５３は、スペーサ５４を介して下側ダイセットプレート５５に設けられ、下側ヒータプレート５３と下側ダイセットプレート５５との間には、空間が介在している。
【００２６】
下側金型５１の上方には、下側金型５１と対向する円柱状の上側金型５７が配置される。上側金型５７の上面には、上側金型５７を加熱する円柱状の上側ヒータプレート５９が設けられている。上側ヒータプレート５９の上方は、空間を介して、上側金型５７，ヒータプレート５９を支持する上側ダイセットプレート６１が設けられている。詳しくは、上側ヒータプレート５９は、スペーサ６０を介して上側ダイセットプレート６１に設けられ、上側ヒータプレート５９と上側ダイセットプレート６１との間には、空間が介在している。
【００２７】
下側ダイセットプレート５５には、上側ダイセットプレート６１を上下方向に案内するガイド１３が設けられている。
【００２８】
そして、上側ダイセットプレート６１は、図示しない駆動部によって、上下方向に駆動される。
【００２９】
次に、上記構成の作動を説明する。上側金型５７と下側金型５１との間に空間がある状態で、下側金型５１上に被加工物をセットし、図示しない駆動部により、上側ダイセットプレート６１を下方向へ移動させる。そして、上側金型５７、下側金型５１で被加工材に強い力、熱を加えることにより、金型と同じ形状を被加工材に作り出し、スピーカのコーンとする。
【００３０】
本実施形態例では、下側ヒータプレート５３と下側ダイセットプレート５５との間には、円板状の下部背部反射板７１が配置される。この下部背部反射板７１の径は円柱状の下側ヒータプレート５３の径より大きく設定され、下部ヒータプレート５３の下面を空間を介して覆っている。
【００３１】
また、上側ヒータプレート５９と上側ダイセットプレート６１との間には、円板状の上部背部反射板７３が配置される。この上部背部反射板７３の径は円柱状の上側ヒータプレート５９の径より大きく設定され、上部ヒータプレート５９の下面を空間を介して覆っている。
【００３２】
更に、下側金型５１、下側ヒータプレート５３の側部を空間を介して覆う筒状の下側側部反射板７５が設けられる。
【００３３】
また、上側金型５７、上側ヒータプレート５９の側部を空間を介して覆う筒状の上側側部反射板７７が設けられる。
【００３４】
本実施形態例では、下側背部反射板７１、上側背部反射板７３、下側側部反射板７５、上側側部反射板７７は、フレームと、フレームに対して着脱可能に張られたアルミホイルとで構成した。
【００３５】
上記構成によれば、以下のような効果が得られる。
【００３６】
(1) 下側金型５１、下側ヒータプレート５３、上側金型５７、上側ヒータプレート５９は、下側背部反射板７１、上側背部反射板７３、下側側部反射板７５、上側側部反射板７７により、完全に覆われる。よって、下側金型５１、下側ヒータプレート５３、上側金型５７、上側ヒータプレート５９からの輻射伝熱がこれら反射板で反射され、下側金型５１、下側ヒータプレート５３、上側金型５７、上側ヒータプレート５９に戻るので、下側金型５１、下側ヒータプレート５３、上側金型５７、上側ヒータプレート５９からの熱損失が少なくなり、電力消費量が少なくなる。
【００３７】
(2) 各反射板の表面の材質は、アルミニウムとした。アルミニウムは、輻射伝熱を反射するといわれる赤外線領域で８５％以上を反射する。よって、下側金型５１、下側ヒータプレート５３、上側金型５７、上側ヒータプレート５９からの熱損失が少なくなり、電力消費量が少なくなる。
【００３８】
(3) アルミニウムの輻射伝熱の反射は、金属が持つ自由電子の働きによる反射であり、この自由電子を繰り返すとアルミニウムの表面が黒ずんでくる。
【００３９】
本実施形態では、各反射板は、フレームと、フレームに対して着脱可能に張られたアルミホイルとで構成したことにより、アルミホイルが黒ずんでも、容易に交換できる。
【００４０】
本発明は、上記実施形態に限定するものではない。上記実施形態では、４枚の反射板、即ち、下側背部反射板７１、上側背部反射板７３、下側側部反射板７５、上側側部反射板７７で、下側金型５１、下側ヒータプレート５３、上側金型５７、上側ヒータプレート５９を完全に覆うようにしたが、下側背部反射板７１、上側背部反射板７３、下側側部反射板７５、上側側部反射板７７のうちの少なくとも１つの反射板があれば、下側金型５１、下側ヒータプレート５３、上側金型５７、上側ヒータプレート５９からの熱損失が少なくなり、電力消費量が少なくなる。
【００４１】
また、反射板の表面の材質として、アルミニウムを用いたが、他に、金、銀、銅であってもよい。
【００４２】
更に、上記実施形態例では、反射板は、フレームと、フレームに対して着脱可能に張られたアルミホイルで構成したが、アルミニウム板で構成してもよい。
【００４３】
また、上記実施形態では、本発明をスピーカのコーンを成形する熱プレス機に適用したしたが、スピーカのダンパを形成する熱プレス機でも適用できる。
【００４４】
また、上記実施形態例では、本発明を熱プレス機に適用した例で説明を行ったが、他に真空成形や加熱冷却成形延に用いるフィルム加熱用ヒータ（ヒータブロックや赤外線ヒータ）にも適用できる。
【実施例】
【００４５】
本願発明者は、上記実施形態の効果を確認するために、以下の場合の消費電力を調べた。
【００４６】
(1) 反射板が全くない図６に示す熱プレス機で、８時間連続電力測定を行い、積算電力を求めた。その結果を図３に示す。
【００４７】
図に示すように、昇温時の０．６ＫＷｈを含め８時間で５．４ＫＷｈ消費した。約２３０分毎に急激な電力消費があった。
【００４８】
(2) 図１に示すように、下側背部反射板７１、上側背部反射板７３、下側側部反射板７５、上側側部反射板７７で、下側金型５１、下側ヒータプレート５３、上側金型５７、上側ヒータプレート５９を完全に覆うようにした熱プレス機で、８時間連続電力測定を行い、積算電力を求めた。その結果を図４に示す。
昇温時の０．６ＫＷｈを含め８時間で４．１ＫＷｈ消費した。約４２分毎に１０分間電力消費がない状態があった。
【００４９】
(3) 他に、下側背部反射板７１、上側背部反射板７３を設けた場合と、下側背部反射板７１、上側背部反射板７３、下側側部反射板７５を設けた場合も調べた。
【００５０】
その結果を図４に示す。図において、二点鎖線は(1)を表し、実線は(2)を表し、破線は下側背部反射板７１、上側背部反射板７３、下側側部反射板７５を設けた場合を表し、一点鎖線は、下側背部反射板７１、上側背部反射板７３を設けた場合を表している。
【００５１】
反射板を設けることで、消費電力は少なくなり、下側金型５１、下側ヒータプレート５３、上側金型５７、上側ヒータプレート５９を下側背部反射板７１、上側背部反射板７３、下側側部反射板７５、上側側部反射板７７で完全に覆えば、消費電力が一番少なくなることが確認された。
【符号の説明】
【００５２】
５１  下側金型
５３  下側ヒータプレート
５７  上側金型
５９  上側ヒータプレート
７１  下側背部反射板
７３  上側背部反射板
７５  下側側部反射板
７７  上側側部反射板
【図１】
0005808984.tif 000002
【図２】
0005808984.tif 000003
【図３】
0005808984.tif 000004
【図４】
0005808984.tif 000005
【図５】
0005808984.tif 000006
【図６】
0005808984.tif 000007